(57)【要約】【課題】従来の卓球練習用具は、練習の成果が見える形で表示されるものではなかった。【解決手段】    プラスチック、金属、ガラス、等の硬質材料で構成された円筒状又は平板状の本体の内部に、セラミツクセンサ、コンデンサマイク等のセンサを固定し、打球が本体にヒットして生じた衝撃波をセンサにより電気信号に変換し、増幅器で適宜増幅した後、タイマー回路をトリガーし、１秒程度の一定時間幅の計数パルスとして積算計数部に送りヒットした回数を積算表示したり、ラリー判定回路を設けてラリー継続と見なす場合のみ積算計数部でパルスを積算計数して表示するなど、技能の習熟度に合わせた多様な練習の習熟度を数値化出来るので、練習者のモチベーションを高める事が出来る。卓球練習用具ヒット・ラリーカウンタ。【選択図】図１
2014083410.tif 000002
【特許請求の範囲】
【請求項１】
プラスチック、金属、ガラス、等の硬質材料で構成された円筒状又は平板状の本体の内部に、セラミツクセンサ、コンデンサマイク等のセンサを固定する。
打球が本体にヒットして生じた衝撃波をセンサにより電気信号に変換し、増幅器で適宜増幅した後、タイマー回路をトリガーし、１秒程度の一定時間幅の計数パルスとして積算計数部に送りヒットした回数を積算表示するヒットカウンタ。
【請求項２】
請求項１の構成において、タイマー回路と積算計数部の間にラリー判定回路を設けラリー継続と見なす場合のみ積算計数部でパルスを積算計数して表示する。
タイマー回路の一定時間幅内（ラリータイム）を経過した後に再度打球が本体に当たった場合は、ラリー判定回路によりラリー継続と見なされず過去の積算値が表示されるが積算は行わない。
ラリーカウンタ。
【請求項３】
請求項１または請求項２単独の機能を有する卓球練習用具及び請求項１及び請求項２の両方の機能を合わせ持つ卓球練習用具ヒット・ラリーカウンタ。
【発明の詳細な説明】
【技術分野】
【０００１】  この発明は、本体に打球がヒットした数をカウントし、積算表示させることによって打球のコントロール能力を高める卓球練習用具である。
【背景技術】
【０００２】  従来の卓球練習用具は、打球の方向について機械的に規制したり、その処理を行うものであった。また多数の球を装入しておいて順次打ち出す装置はあったがいずれも機械的に処理するものであった。
下記の特許があるが、いずれも本発明とは使用目的や動作原理が異なり、練習の成果が目に見える形で表示されるものではなかった。
【先行技術文献】
【特許文献】
【０００３】
【特許文献１】特許公開２０１１−２０６５０４
【特許文献２】特許公開２００７−１３０１０３
【特許文献３】特許公開平０８−０５２２４５
【特許文献４】実用新案公開平６−５２８６２
【特許文献５】登録実用新案第３１６５７１５
【発明の概要】
【発明が解決しようとする課題】
【０００４】  この発明は、本体に打球がヒットした数をカウントし目に見える形で積算表示させるので、一定時間内（数分間）で、どれだけヒッと出来たなど、打球のコントロール能力を数値化出来ることにある。
【課題を解決するための手段】
【０００５】  プラスチック、金属、ガラス、等の硬質材料で構成された円筒状又は平板状の本体の内部に、セラミツクセンサ、コンデンサマイク等のセンサが固定されている。
打球が本体にヒットして生じた衝撃波は、センサ取付板等を通してセンサに印可され、電気信号に変換される。電気信号は増幅器により増幅されトリガー信号となる。その信号を受けて一定時間幅のパルスに変換するタイマー回路、一定時間幅のパルスを受けてそれを積算するカウンター回路、及びその積算値を表示する表示器よりなる。
【発明の効果】
【０００６】  本発明は、卓球を練習する際に本人が打った打球がヒットした場合その数を目に見える形で表示するので、一定時間内（数分間）で、どれだけヒッと出来たなど、コントロール能力を数値化出来るので、打球のコントロール能力を高める練習のモチベーションを高め、打球のコントロール能力を高めるのに有用な卓球練習用具である。
【図面の簡単な説明】
【０００７】
【図１】本発明の縦断面を書いた構造図である。
【図２】本発明の実施例１の測定系統図である。
【図３】本発明の実施例１の測定系統図である。
【符号の説明】
【０００８】１  本体
２  センサ取付け板
３  センサ
４  プリント基板
５  電池
６  衝撃波吸収及び固定材
４Ａ  増幅回路
４Ｂ  タイマー回路
４Ｃ  積算計数回路
４Ｄ  表示部
【発明を実施するための形態】
【０００９】  以下、本発明を実施するための形態１について説明する。図１に本発明の構造を示す。
打球を受けて衝撃波を発生するプラスチック、金属、ガラス、等の硬質材料で構成された円筒状又は平板状の本体（１）の内部に、本体で発生した衝撃波をセンサに伝達させるセンサ取付板（２）、衝撃波を電気信号に変換するセラミツクセンサ、コンデンサマイク等のセンサ（３）及びセンサからの電気信号を受けて積算表示する電子回路が搭載されたプリント基板（４）及び電池（５）からなる。
また、卓球場の床から卓球台に伝わる足音などの衝撃音を感知して誤動作することを防止するため吸着ゴム等の軟質ゴムで出来た衝撃波吸收及び固定材（６）を底部に装着し、卓球台を通して衝撃音が本体に伝達することを防止している。
図２に本発明のプリント基板（４）上に搭載された電子回路の測定系統図を示す。
打球を受けて衝撃波を発生するプラスチック、金属、ガラス、等の硬質材料で構成された円筒状又は平板状の本体（１）、で発生した衝撃波はセンサ取付け板（２）を介してセラミツクセンサ、コンデンサマイク等のセンサ（３）に伝わり衝撃波は電気信号に変換される、その電気信号は増幅回路（４Ａ）によりトリガー信号となり、タイマー回路（４Ｂ）をトリガーし一定時間幅の計数パルスとなる、計数パルスは積算計数回路（４Ｃ）により積算され、表示部（４Ｄ）により数値が表示される。
【００１０】  図３に本発明を実施するための形態２の測定系統図を示す。本発明では形態１の測定系統図に加えてラリー判定回路（４Ｅ）を有する。  一般に、本体に当たり跳ね返った球を再度打ち返した打球が本体に当たる場合は、短時間で戻って来ると考えられる。
従って、一度トリガーされたタイマー回路の一定時間以内に再度トリガーした場合をもってラリー継続と見なすのは合理的である。
このラリー判定回路（４Ｅ）により、一定時間幅のラリーパルス内に、再度トリガー信号が来た場合は、計数パルスはカウンター回路（４Ｃ）により積算され、表示部（４Ｄ）により加算された数値が表示される。一定時間幅のラリーパルス内に、トリガー信号が来なかった場合は、計数パルスはカウンター回路（４Ｃ）に印加されず加算されない。このようにしてラリーパルス内に連続してヒットした回数のみがラリーカウント値として積算表示されるラリーカウンタが実現される。
【図１】
2014083410.tif 000003
【図２】
2014083410.tif 000004
【図３】
2014083410.tif 000005
【手続補正書】
【提出日】平成24年10月26日(2012.10.26)
【手続補正１】
【補正対象書類名】明細書
【補正対象項目名】０００７
【補正方法】変更
【補正の内容】
【０００７】
【図１】本発明の縦断面を書いた構造図である。
【図２】本発明の実施例１の測定系統図である。
【図３】本発明の実施例２の測定系統図である。